(57)【要約】【課題】顧客が誤って店頭展示モードに設定することを防止する冷蔵庫を提供する。【解決手段】第１の所定操作により店頭展示モードに移行する前の受付状態となり、前記受付状態となってから所定時間までに前記第１の所定操作または第２の所定操作が行われた場合に、前記店頭展示モードに移行し、前記受付状態となってから前記所定時間までに前記第１の所定操作または前記第２の所定操作が行われなかった場合は、前記受付状態を解除する。【選択図】図３
2018123992.tif 000002
【特許請求の範囲】
【請求項１】
第１の所定操作により店頭展示モードに移行する前の受付状態となり、
前記受付状態となってから所定時間までに前記第１の所定操作または第２の所定操作が行われた場合に、前記店頭展示モードに移行し、
前記受付状態となってから前記所定時間までに前記第１の所定操作または前記第２の所定操作が行われなかった場合は、前記受付状態を解除する冷蔵庫。
【請求項２】
正面に設けられた扉と、前記扉の開閉を検知する扉センサと、使用者による所定の操作が可能なコントロールパネルと、を備えた冷蔵庫において、
前記扉センサにより前記扉が開いていることを検知し、かつ、前記コントロールパネルで第１の所定操作が行われた場合に、店頭展示モードに移行する前の受付状態となり、
前記受付状態となってから所定時間までに、前記扉センサにより前記扉が開いていることを検知し、かつ、前記第１の所定操作または第２の所定操作が行われた場合は、前記店頭展示モードに移行し、
前記受付状態となってから前記所定時間までに、前記の検知および操作が行われなかった場合は、前記受付状態を解除することを特徴とする冷蔵庫。
【請求項３】
請求項２において、前記使用者に対して報知を行うブザーを備え、
前記受付状態となってから、前記店頭展示モードに移行するか、前記扉が閉じられるか、前記受付状態が解除されるか、まで前記ブザーによる報知が行われることを特徴とする冷蔵庫。
【発明の詳細な説明】
【技術分野】
【０００１】
本発明は、冷蔵庫に関する。
【背景技術】
【０００２】
店頭で顧客に冷蔵庫を販売する際に、機能の特長を短時間で表示し、顧客に機能の特長を知ってもらう店頭展示用のモードと、通常の冷蔵庫としてのモードと、を設けた冷蔵庫が普及している。
【０００３】
上記店頭展示モードは、コントロールパネルのスイッチが所定の操作をされた場合に、設定されるようにしている（例えば、特許文献１）。
【先行技術文献】
【特許文献】
【０００４】
【特許文献１】特開２００５−１７２２９７号公報
【発明の概要】
【発明が解決しようとする課題】
【０００５】
しかしながら、所定のスイッチ操作がされたら直ちに店頭展示モードが設定される冷蔵庫では、使用者が意図せず又は誤って当該所定の操作をした場合でも、店頭展示モードが設定されてしまい、冷蔵庫が冷えなくなることもある。
【課題を解決するための手段】
【０００６】
上記課題を解決するために、本発明は、第１の所定操作により店頭展示モードに移行する前の受付状態となり、前記受付状態となってから所定時間までに前記第１の所定操作または第２の所定操作が行われた場合に、前記店頭展示モードに移行し、前記受付状態となってから前記所定時間までに前記第１の所定操作または前記第２の所定操作が行われなかった場合は、前記受付状態を解除することを特徴とする。
【発明の効果】
【０００７】
本発明によれば、使用者が誤って店頭展示モードの設定操作を行ってしまっても、店頭展示モードに直ちには移行せず、再度設定操作を行わなければ通常の運転モードに戻ることから、使用者が意図しない店頭展示モードへの移行を防ぐことができる。
【図面の簡単な説明】
【０００８】
【図１】本実施形態の冷蔵庫１を示す正面図である。
【図２】本実施形態の冷蔵庫１を示すブロック図である。
【図３】実施例１の冷蔵庫１における店頭展示開始操作による店頭展示動作開始までの動作を示すフローチャートである。
【図４】実施例２の冷蔵庫１における通常運転モードから店頭展示モードの開始操作を行った際の動作を示すフローチャートである。
【図５】実施例３の冷蔵庫１における通常運転モードから店頭展示モードの開始操作を行った際の動作を示すフローチャートである。
【発明を実施するための形態】
【０００９】
以下、本発明の実施形態を図面に基づいて説明する。
【００１０】
図１は、本発明の実施形態における冷蔵庫の正面図である。図１に示すように、本実施形態の冷蔵庫１は、上から、冷蔵室２と、左右に並んだ製氷室３および上段冷凍室４と、下段冷凍室５と、野菜室６と、コントロールパネル７とを有している。冷蔵室２は、左右に分割された、観音開きの冷蔵室扉２aおよび冷蔵室扉２bを備えている。また、製氷室３、上段冷凍室４、下段冷凍室５、野菜室６は引き出し式の製氷室扉３a、上段冷凍室扉４a、下段冷凍室扉５a、野菜室扉６aを備えている。
【００１１】
コントロールパネル７は、使用者がタッチによる操作を行うことによって、メニューの表示や冷蔵庫の状態設定を切り替え、表示することが可能である。コントロールパネル７は、公知の方法（例えば特開２０１１−５８６６２号公報等）で構成することができる。
【００１２】
図２は、本実施形態の冷蔵庫を示すブロック図である。図２に示すように，制御装置４０は、冷蔵庫１の上面に設置され、メモリ（ＲＯＭ）に記憶された制御プログラムにしたがって冷凍サイクルおよび送風系の制御を実行する。
【００１３】
また、制御装置４０は、タッチセンサ１０、扉センサ２０と電気的に接続されている。制御装置４０には、タッチセンサ１０が検知されたときの検知信号、扉センサによって冷蔵室、冷凍室、野菜室のいずれかが開扉されたことを示す開扉信号、タイマ３０が計測した扉が開いている時間の値が、それぞれ送られる。また、制御装置４０は、タッチセンサ１０によってタッチ操作が検知されたときの検知信号を基に、コントロールパネルＬＥＤ５０を制御する機能を有する。また、制御装置４０は、タッチセンサ１０によってタッチ操作が検知されたときの検知信号を基に、ブザー６０を制御する機能を有する。
【００１４】
図３は、実施例１の冷蔵庫における店頭展示モードの開始操作による店頭展示モードの動作開始までの動作を示すフローチャートである。図３に示すように、ステップＳ１０において、冷蔵庫に電源が投入されると、ステップＳ２０において通常運転を開始する。ステップ３０において、店頭展示モードの開始操作（例えば、冷蔵室２の扉を開いた状態でコントロールパネル７の何れかのスイッチＳＷを１０秒長押し）を行うと（Ｓ３０、ＹＥＳ）、店頭展示モードの開始操作受付状態（段階(1)）に移行する（Ｓ４０）。ステップＳ４０において、タイマ３０による時間の計測を開始する。ステップＳ５０において、再度、店頭展示モードの開始操作が行われず（Ｓ５０、ＮＯ）、ステップＳ６０において、一定時間（例えば１分）経過したならば（Ｓ６０、ＹＥＳ）、通常運転モードに戻る（Ｓ２０）。ステップＳ５０において、一定時間内に（例えば１分）に再度、店頭展示モードの開始操作が行われれば（Ｓ５０、ＹＥＳ）、店頭展示モードを開始する（段階(2)）。ステップＳ７０において、終了操作が行われなければ（Ｓ８０、ＮＯ）、店頭展示モードを継続する。ステップＳ７０において、終了操作が行われれば（Ｓ８０、ＹＥＳ）、通常運転モードに戻る（Ｓ２０）。
【００１５】
以上のように、店頭展示モードの開始操作に段階を設けることによって、顧客が誤って店頭展示に入る操作を行ってしまい、冷蔵庫が冷えなくってしまうことを防ぐことができる。また、顧客が誤って店頭展示モードの開始操作を行ったとしても、一定時間内に繰り返し店頭展示モードの開始操作が行われなければ自動で通常運転モードに戻ることにより、使用者が故意に店頭展示モードの開始操作を行ったりすることを防ぐ。
【００１６】
次に、実施例２の構成について説明する。
【００１７】
実施例１では、店頭展示モードの開始操作を行い、店頭展示モードの開始操作受付状態になった後に一定時間内に再度、店頭展示モードの開始操作が行われなければ自動で通常運転モードに戻るが、本実施例ではこれに代えて、例えば店頭展示モードの開始操作受付状態（段階(1)）になったら、ブザーを出力する。なお、他の構成については、実施例１と同様にできる。
【００１８】
図４は、実施例２の冷蔵庫１における通常運転モードから店頭展示モードの開始操作を行った際の動作を示すフローチャートである。図４に示すように、ステップＳ２０において、通常運転モード中に店頭展示モードの開始操作が行われれば（Ｓ３０、ＹＥＳ）、ステップＳ９０においてブザーを出力し店頭展示モードの開始操作受付状態に移行する（Ｓ４０）。このとき、出力するブザーの音色は例えば、ドアが一定時間開放されたままになった際に、使用者にドアの閉動作を促すブザーの音色と合わせる。ステップＳ５０において、再度、店頭展示モードの開始操作が行われれば（Ｓ５０、ＹＥＳ）、店頭展示モードに移行する（段階(2)）（Ｓ７０）。ステップＳ５０において、再度、店頭展示モードの開始操作が行われず、一定時間が経過しない状態でドアが開いた状態であると（Ｓ１００、ＮＯ）、ステップＳ９０において再度ブザーを出力する。ステップＳ１００において、ドアが閉になったならば（Ｓ１００、ＹＥＳ）、ブザーの出力を停止する。
【００１９】
以上のように、通常運転モードから店頭展示モードの開始操作が行われれば、ドアが一定時間開放されたことを使用者に報知するブザーを出力することによって、使用者にドアの開放時間が長いためになったブザーと受け取らせ、ドアの閉動作を促させる。この際、店頭展示モードの開始操作にドアの開放条件があると、再度、店頭展示モードの開始操作が行われる可能性が低くなり、使用者が誤って店頭展示モードに設定してしまうことを防ぐことができる。
【００２０】
次に、実施例３の構成について説明する。
【００２１】
実施例１では、通常運転モードから店頭展示開始操作を行い、店頭展示モードの開始操作受付状態になった際に使用者に対して報知を行わないが、本実施例ではこれに代えて、例えば通常運転モードから店頭展示モードの開始操作を行い店頭展示モードの開始操作受付状態（段階(1)）になった際にブザーを出力し、店頭展示モードの開始操作受付状態であることを使用者に対して報知する。なお、他の構成については、実施例１と同様にできる。
【００２２】
図５は、実施例３の冷蔵庫１における通常運転モードから店頭展示モードの開始操作を行った際の動作を示すフローチャートである。図５に示すように、ステップＳ２０において、店頭展示モードの開始操作が行われれば（Ｓ３０、ＹＥＳ）、ステップＳ９０において、ブザーを出力し店頭展示モードの開始操作受付状態に移行する（Ｓ４０）。このとき、出力するブザーの音色は例えば、コントロールパネルの操作スイッチを押してメニューの設定を切り替えた際に出力するようなブザー（例えばピッ）を出力する。ステップＳ４０において、再度、店頭展示モードの開始操作が行われれば（Ｓ５０、ＹＥＳ）、ステップＳ１１０において、ブザーを出力し店頭展示モードを開始する（段階(2)）（Ｓ７０）。このとき、出力するブザーの音色は例えば、コントロールパネルの操作スイッチを長押しして、コントロールパネルのモード設定を行った際に出力するブザー（例えばピーッ）を出力する。
【００２３】
以上のように、使用者が誤って店頭展示モードの開始操作を行ってしまいブザーが出力されても、使用者はコントロールパネルのスイッチを押してしまったと思い、また、一定時間経過で通常モードに戻ることから、使用者に誤って店頭展示モードの開始操作を設定してしまったことを知ってしまうことを防ぐことができる。また、使用者が誤って店頭展示モードの開始操作受付状態で再度、店頭展示モードの開始操作をしてしまった場合は、ブザーを出力し、使用者に何らかのモード設定を行ってしまったことを報知させ、取り扱い説明書に記載の店頭展示モードの解除操作を促す。
【００２４】
その他に、使用者が意図して店頭展示モードの受付状態に設定した場合（販売員による店頭での店頭展示設定時など）は、ブザーを出力することで使用者に店頭展示モードの開始操作受付状態であることを報知する。また、一定時間内に再度、店頭展示モードの開始操作を行うとブザーを出力し、店頭展示モードが開始したことを使用者に報知することができる。
【００２５】
なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。
【符号の説明】
【００２６】
１            冷蔵庫
２            冷蔵室
２ａ            冷蔵室扉
２ｂ            冷蔵室扉
３            製氷室
３ａ            製氷室扉
４            上段冷凍室
４ａ            上段冷凍室扉
５            下段冷凍室
５ａ            下段冷凍室扉
６            野菜室
６ａ            野菜室扉
７            コントロールパネル
１０            タッチセンサ
２０            扉センサ
３０            タイマ
４０            制御装置
５０            コントロールパネルＬＥＤ
６０            ブザー
【図１】
2018123992.tif 000003
【図２】
2018123992.tif 000004
【図３】
2018123992.tif 000005
【図４】
2018123992.tif 000006
【図５】
2018123992.tif 000007